(57)【要約】【課題】ガラス窓の枠体に着脱可能に簡単に嵌合できるとともに、騒音などの音エネルギーを減衰させる効果の優れた防音・遮光マットを提供する。【解決手段】ガラス窓の枠体ｈに取り付ける防音・遮光マットであって、厚さ３０ｍｍ〜３００ｍｍのウレタンフォーム２と、厚さ１ｍｍ〜２ｍｍの合成ゴムシート３とを接着し、その表面をシート状カバー４で被覆してなり、前記ウレタンフォーム２側が窓側に設置されるように、前記枠体ｈに嵌合して使用することを特徴とする防音・遮光マット。【選択図】図１
2009046910.tif 000002
【特許請求の範囲】
【請求項１】
ガラス窓の枠体に取り付ける防音・遮光マットであって、
厚さ３０ｍｍ〜３００ｍｍのウレタンフォームと、厚さ１ｍｍ〜２ｍｍの合成ゴムシートとを接着し、その表面をシート状カバーで被覆してなり、前記ウレタンフォーム側が窓側に設置されるように、前記枠体に嵌合して使用することを特徴とする防音・遮光マット。
【請求項２】
前記ウレタンフォームは、高密度ウレタンフォームからなる請求項１に記載の防音・遮光マット。
【請求項３】
前記ウレタンフォームは、低密度ウレタンフォームからなる請求項１に記載の防音・遮光マット。
【請求項４】
前記ウレタンフォームは、高密度ウレタンフォームと低密度ウレタンフォームとの２層からなる請求項１に記載の防音・遮光マット。
【請求項５】
前記マットの端部辺と別のマットの端部辺とに、互いを係合させる係合手段を形成して、複数のマットを連結して使用できるようにしたことを特徴とする請求項１から４のいずれか１項に記載の防音・遮光マット。
【請求項６】
前記マットのウレタンフォーム側に、窓ガラスに吸着させることができる複数の吸盤を設けたことを特徴とする請求項１から５のいずれか１項に記載の防音・遮光マット。
【発明の詳細な説明】
【技術分野】
【０００１】
本発明は、ガラス窓からの騒音や光を遮断するために、簡単な方法で窓の枠体や窓ガラスに着脱することのできる防音・遮光マットに関するものである。
【背景技術】
【０００２】
一般的に、騒音を遮断するためには、窓ガラスを二重にして気密性をもたせたり、窓ガラスを厚くしたりすることが行われる。ところが、これらの場合、既存の窓ガラスや窓の枠体に工事を施さなければならず、時間と費用が掛かってしまう。さらに、賃貸マンションやアパートにおいては、管理会社や所有者の許可が必要となるため、簡単に行うことができない。
【０００３】
また、光を遮光するためには、遮光カーテンや暗幕などをカーテンレールに取り付けて使用することが一般的であるが、完全に遮光することは難しく、窓とカーテンや暗幕との隙間から、光が漏れてしまうという問題点がある。
【０００４】
そこで、例えば下記特許文献１のように、アクリル板のパネルの縁に塩化ビニルのフレームと吸盤とを備えた防音パネルが提案されている。
【０００５】
この防音パネルは、窓ガラスなどのウィンドウパネルとの間に空間を形成するアクリル板製のパネル本体と、空間を密閉する塩化ビニル製のフレームと、脱着可能な吸盤により構成され、ウィンドウパネルの取付面に押圧し、吸盤によって吸着させることで、フレームの当接部がウィンドウパネルに密着して、ウィンドウパネルとパネル本体との空間が密閉状態となることで、防音するものである。
【特許文献１】特開２００１−１６４８４３号公報
【発明の開示】
【発明が解決しようとする課題】
【０００６】
ところが、特許文献１に記載の防音パネルは、本体に透明なアクリル板製のものを用いているため、遮光性はまったく望めない。また、パネル本体がアクリル板製であるため、大きな窓に用いた場合には、アクリル板を大きくしなければならず、その分重くなり、窓ガラスに吸盤を用いて吸着しても、パネル本体の自重により外れてしまう。そのため、もしその下で寝ていた場合には、けがをするという危険もあり得る。
【０００７】
また、フレームが塩化ビニル製であるため、長時間直射日光に晒されていると、劣化や変形が起こり、窓ガラスとパネル本体との密封状態を保つことが出来ないとともに、見栄えも悪くなる。
【０００８】
さらに、簡易的な二重窓構造であるため、騒音などの音エネルギーを減衰させることは難しく、コストをかけて取り付けても、期待する効果は得られにくい。
【０００９】
本発明は、ガラス窓の枠体に、着脱可能に簡単に嵌合できるとともに、騒音などの音エネルギーを減衰させる効果の優れた防音・遮光マットを提供することを課題とするものである。
【課題を解決するための手段】
【００１０】
上記課題を解決するために、請求項１に記載の発明は、ガラス窓の枠体に取り付ける防音・遮光マットであって、厚さ３０ｍｍ〜３００ｍｍのウレタンフォームと、厚さ１ｍｍ〜２ｍｍの合成ゴムシートとを接着し、その表面をシート状カバーで被覆してなり、前記ウレタンフォーム側が窓側に設置されるように、前記枠体に嵌合して使用することを特徴とするものである。
【００１１】
また、請求項２に記載の本発明は、請求項１に記載の防音・遮光マットにおいて、前記ウレタンフォームが、高密度ウレタンフォームからなることを特徴とするものである。
【００１２】
さらに、請求項３に記載の本発明は、請求項１に記載の防音・遮光マットにおいて、前記ウレタンフォームが、低密度ウレタンフォームからなることを特徴とするものである。
【００１３】
また、請求項４に記載の本発明は、請求項１に記載の防音・遮光マットにおいて、前記ウレタンフォームが、高密度ウレタンフォームと低密度ウレタンフォームとの２層からなることを特徴とするものである。
【００１４】
そして、請求項５に記載の本発明は、請求項１から４のいずれか１項に記載の防音・遮光マットにおいて、前記マットの端部辺と、別のマットの端部辺とに、互いを係合させる係合手段を形成して、複数のマットを連結して使用できるようにしたことを特徴とするものである。
【００１５】
さらに、請求項６に記載の本発明は、請求項１から５のいずれか１項に記載の防音・遮光マットにおいて、前記マットのウレタンフォーム側に、窓ガラスに吸着させることができる複数の吸盤を設けたことを特徴とするものである。
【発明の効果】
【００１６】
請求項１に記載の本発明によれば、ウレタンフォームは、ガラス窓から入ってくる騒音などの音を吸音するとともに、合成ゴムシートによって、吸音しきれない音を反射し分散させることで、音エネルギーを減衰させることができる。また、ウレタンフォームと合成ゴムシートを接着して、シート状カバーで被覆することにより、ウレタンフォームと合成ゴムシートとの劣化を防止するとともに、シート状カバーは、部屋のインテリアに合わせて、色や図柄を好みに応じてコーディネートすることができる。
【００１７】
さらに、本発明のマットは弾性を有するため、ガラス窓の枠体の大きさより、マットを若干大きくすることで、窓枠とマットとを隙間なく嵌合することができ、音漏れを防止するとともに、外からの光も完全に遮光することができる。また、枠体に嵌め込むだけでよいため、着脱手段を設けることを必要とせず、着脱が簡便である。
【００１８】
請求項２に記載の本発明によれば、ウレタンフォームを高密度のウレタンフォームで形成することにより、車やバイクなどが出す低周波の音を特に効果的に吸音することができる。そのため、低周波音により引き起こされる頭痛や不眠といった身体に与える影響を防止することができる。
【００１９】
請求項３に記載の本発明によれば、ウレタンフォームを低密度のウレタンフォームで形成することにより、人の声などの高周波の音を特に効果的に吸音することができる。そのため、精神的・生理的に不快な音の進入を防止することができる。
【００２０】
請求項４に記載の本発明によれば、ウレタンフォームを高密度のウレタンフォームと、低密度のウレタンフォームとの２層で形成することにより、低周波の音と高周波の音をそれぞれ効果的に吸音することができる。そのため、外部のあらゆる騒音をカットすることができる。
【００２１】
請求項５に記載の本発明によれば、防音・遮光マットは、複数のマットの各端辺部に、それぞれを互いに連結させる係合手段を形成することで、マット１枚分の小さなガラス窓から、マットを複数組み合わせた大きなガラス窓まで、汎用的に使用することができる。そして、使用しないときは、係合手段を外してコンパクトに収納するこができる。
【００２２】
請求項６に記載の本発明によれば、防音・遮光マットのウレタンフォーム側に、窓ガラスに吸着させることのできる複数の吸盤を設けることで、枠体の無いガラス窓においても使用することができる。そのため、住宅により異なるタイプのガラス窓にも対応可能となる。
【発明を実施するための最良の形態】
【００２３】
図１は、本発明の防音・遮光マットの一実施形態を示すものである。この防音・遮光マット１は、部屋ｔに設けたガラス窓の枠体ｈや窓ガラスｐを利用して使用するもので、ウレタンフォーム２と合成ゴムシート３を接着剤により接着し、その表面全体を布又はプラスチック等のシート状カバー４で、被覆した構造のものである。このマット１を使用するに際しては、ウレタンフォーム２側が窓ガラスｐ側に配置されるように、枠体ｈに嵌め込んで使用する。本発明で使用するウレタンフォームは自立性を有する硬度を備えることが望ましく、見掛け密度で１５〜４５ｋｇ／ｍ3程度の範囲のものが好ましく使用できる。
【００２４】
また、図２は本発明の防音・遮光マットの別な実施形態を示すものであり、マット１は、ウレタンフォームを高密度ウレタンフォーム２ａと低密度ウレタンフォーム２ｂとを接着剤により密着させて、この２層のウレタンフォームの窓ガラスｐ側と反対側の面に、ゴムシート３を接着剤により接着するとともに、その表面全体を布又はプラスチック等のシート状カバー４で被覆している。ここで高密度ウレタンフォームとしては見掛け密度が１５〜２５ｋｇ／ｍ3程度のもの、低密度ウレタンフォームとしては見掛け密度が２５〜４５ｋｇ／ｍ3程度のものが使用できる。
【００２５】
そして、図３は本発明の防音・遮光マットのさらに別な実施形態を示すものであり、マット１は、ウレタンフォーム２に、このウレタンフォーム２の窓ガラスｐ側の面に複数、好ましくは４つ以上の吸盤５を取り付け、かつこのウレタンフォーム２の窓ガラスｐ側と反対側の面に、合成ゴムシート３を接着剤により接着するとともに、その表面全体を布又はプラスチック等のシート状カバー４で被覆している。
【００２６】
また、図４は複数の防音・遮光マット、すなわちマット１ａとマット１ｂとを連結して使用する際の係合手段の一実施形態を示している。マット１ａ、マット１ｂの連結すべき各端部辺は、マットの厚さの約半分を切欠して長手方向に伸びる段差を形成することにより設けられた薄厚部６ａ、６ｂをそれぞれ有し、これらの薄厚部を互いに突き合わせて重ねることによって、連結部６においても１枚のマット厚さと同じ厚さになるようにして２枚のマットを連結して使用することができる。
【００２７】
さらに、図５は複数の防音・遮光マット、すなわちマット１ｃとマット１ｄとを連結して使用する際の係合手段の別な実施形態を示している。マット１ｃの連結すべき端部辺には、マットの厚さの３分の１程度の厚さを有する長手方向に伸びる凸状部６ｃが形成されており、一方、マット１ｄの連結すべき端部辺には、マットの厚さの約３分の１のの幅の長手方向に伸びる溝部６ｄが形成されている。マット１ｃの凸状部６ｃを、マット１ｄの溝部６ｄに嵌め合わせることによって、連結部６においても１枚のマット厚さと同じ厚さになるようにして２枚のマットを連結して使用することができる。
【００２８】
以上の構成からなる防音・遮光マット１を図６に示すように、部屋ｔの出窓等の枠体ｈに嵌め込んで使用するには、まずマット１のウレタンフォーム側の面を窓ガラスｐに向ける。このとき、マット１の大きさは、枠体ｈよりも若干大きく形成することにより、マット１を弾性変形させて、出窓等の枠体ｈ内に嵌合させることができる。そして、マット１を窓ガラスｐに当接するまで押し込む。（図１参照）
【００２９】
また、図７に示すように、掃出し窓のような大きなガラス窓に本発明の防音・遮光マットを使用する場合には、複数（図示の場合には４枚）のマット１を図４又は図５のごとき係合手段で組み合わせて窓枠ｈの幅と略同じ出窓枠ｈの約半分の高さの下段１Ａとし、同様に複数のマット１を組み合わせて上段１Ｂとする。この下段１Ａの上に上段１Ｂを積み重ねて枠体内に嵌合することにより、大きなガラス窓でも窓枠ｈ全体に防音・遮光マットを取り付けることができる。図７の例では、マット１ａを正方形とし、マット１ｂをマット１ａの幅よりやや小さい形状としてある。このように、幅の異なる複数種類のマット１を組み合わせることで、ガラス窓の大きさに合わせて複数種類のマット幅となるような組み合わせが可能となる。
【００３０】
図７に示したように、大きなガラス窓の全面を本発明の防音・遮光マットで塞がなくても、例えば図８に示すように、部屋ｔ内のベットの頭側に近いガラス窓の高さのの半分程度だけ本発明のマットを設置することにより、睡眠時の外部からの騒音をある程度カットする効果が期待できる。この場合には、図７に示した複数のマット１を組み合わせて形成した下段１Ａのみを使用することができる。このとき、マット１のウレタンフォーム２側に複数の吸盤５を窓ガラスｐに吸着させることで、マットの下段１Ａのみでも簡便にガラス窓に取り付けることが可能となる。
【００３１】
上述の実施形態の防音・遮光マットによれば、窓ガラスｐの高さの半分程度のマット１を設置しても、その高さより下においては、防音効果を発揮することができるため、夜寝るときには、窓ガラスｐの全面を塞がなくとも快適な睡眠が得られる。
【実験例】
【００３２】
以下に、本発明のマットの防音効果を示す実験例を挙げて、本発明の効果をされに詳述する。
［実験１］
図９（ａ）に示すように、１つの窓を有する部屋において、全開にした窓の直ぐ外側に置いたラジカセから音量１００ｄｂの音を発生させ、窓からの距離０ｍ、１ｍ、２ｍ、３ｍの箇所での音を普通騒音計（ＲＩＯＮ  ＮＬ−２０、リオン社製）を用いて測定した。
また、図９（ｂ）に示すように、窓を窓ガラスで全閉とした状態、されには図９（ｃ）に示すように、窓を窓ガラスで全閉として窓ガラスの部屋側に、本発明のマットを設置した状態で、同様にして各箇所での音を測定した。結果を表１に示す。
【００３３】
【表１】
2009046910.tif 000003
【００３４】
［実験２］
図９（ａ）、（ｂ）、（ｃ）と同様にして、部屋外部からの騒音（通行する自動車の騒音など）を測定した。結果を表２に示す。
【００３５】
【表２】
2009046910.tif 000004
【００３６】
参考までに、音量のｄｂ数値と、音の発生源と、ヒトが聞き取る感覚との関係を示すと下表のようになる。
【００３７】
音  量           音の発生源       ヒトの感覚  
１０〜２０ｄｂ      何も聞こえない            極めて静か
３０〜４０ｄｂ      図書館内                  静か
５０〜６０ｄｂ      水洗トイレ・テレビ音      日常騒音
７０〜８０ｄｂ      子供の泣き声              うるさい
９０〜１００ｄｂ    犬の吠え声、地下鉄車内    極めてうるさい
【００３８】
表１及び表２からわかるように、窓を全開とした状態（Ａ）、さらにには窓ガラスを全閉とした状態（Ｂ）に比べて、本発明のマットを設置した状態（Ｃ）では、窓からの距離０ｍの箇所で既に図書館内程度の静かさとなり、優れた防音効果が実現している。
【図面の簡単な説明】
【００３９】
【図１】本発明の防音・遮光マットの一実施形態を示す断面図であり、マットを出窓の窓枠に嵌め込んだ状態を示す。
【図２】本発明の防音・遮光マットの別な実施形態を示す断面図である。
【図３】本発明の防音・遮光マットのさらに別な実施形態を示す断面図である。
【図４】本発明の防音・遮光マットの複数を連結して組み合わせる際の係合手段の一実施形態を示す平面図である。
【図５】本発明の防音・遮光マットの複数を連結して組み合わせる際の係合手段の別な実施形態を示す平面図である。
【図６】本発明の防音・遮光マットを窓枠に設置する際の一実施形態を示す説明図である。
【図７】本発明の防音・遮光マットを窓枠に設置する際の別な実施形態を示す説明図である。
【図８】本発明の防音・遮光マットを窓枠に設置する際のさらに別な実施形態を示す説明図である。
【図９】防音効果の実験の説明図である。
【符号の説明】
【００４０】
１  マット
２  ウレタンフォーム
２ａ  高密度ウレタンフォーム
２ｂ  低密度ウレタンフォーム
３  合成ゴムシート                
４  シート状カバー
５  吸盤
６  連結部
６ａ  薄厚部
６ｂ  薄厚部
６ｃ  凸状部
６ｄ  溝部
ｈ  枠体
ｐ  窓ガラス
ｔ  部屋
【図１】
2009046910.tif 000005
【図２】
2009046910.tif 000006
【図３】
2009046910.tif 000007
【図４】
2009046910.tif 000008
【図５】
2009046910.tif 000009
【図６】
2009046910.tif 000010
【図７】
2009046910.tif 000011
【図８】
2009046910.tif 000012
【図９】
2009046910.tif 000013